(57)【要約】【課題】光変調装置に対する光学素子の傾斜を抑制する機構を備えたプロジェクターを提供する。【解決手段】プロジェクターは、光源と、光源から射出された光束を画像情報に応じて変調する光変調装置と、光変調装置に対向して配置された偏光板５３と、偏光板５３を保持する素子保持体８と、素子保持体８を光変調装置に対して離間する方向に付勢する付勢部８３と、光変調装置を保持し、付勢部８３の付勢力による素子保持体８の移動を規制する規制部６２３を有する保持部６と、を備える。【選択図】図４
2014041176.tif 000002
【特許請求の範囲】
【請求項１】
光源と、
前記光源から射出された光束を画像情報に応じて変調する光変調装置と、
前記光変調装置に対向して配置され、入射する光束を光学的に変換する光学素子と、
前記光学素子を保持する素子保持体と、
前記素子保持体を前記光変調装置に対して離間する方向に付勢する付勢部と、
前記光変調装置を保持し、前記付勢部の付勢力による前記素子保持体の移動を規制する規制部を有する保持部と、
を備えることを特徴とするプロジェクター。
【請求項２】
請求項１に記載のプロジェクターであって、
前記付勢部は、前記素子保持体に設けられていることを特徴とするプロジェクター。
【請求項３】
請求項１または請求項２に記載のプロジェクターであって、
前記素子保持体は、前記素子保持体の一端に前記保持部の一部を挟持する挟持部を有し、
前記付勢部は、前記素子保持体において前記挟持部が設けられた一端に対し反対側の端部に配設されていることを特徴とするプロジェクター。
【請求項４】
請求項１〜請求項３のいずれか一項に記載のプロジェクターであって、
前記保持部は、前記光変調装置を収納するフレームと、前記フレームを支持し、板材から形成された固定板と、を備え、
前記固定板は、前記光束が通過する開口部が設けられた基部、および前記基部に対して屈曲する屈曲部を有し、
前記規制部は、前記屈曲部から延出していることを特徴とするプロジェクター。
【発明の詳細な説明】
【技術分野】
【０００１】
本発明は、プロジェクターに関する。
【背景技術】
【０００２】
従来、光源から射出された光束を画像情報に応じて変調し、変調した光束をスクリーン等の投写面に投写するプロジェクターが知られている。このプロジェクターには、液晶パネル等の光変調装置や、光変調装置の前後に配置される入射側偏光板や射出側偏光板等の光学部品が備えられている。
ところで、近年、投写される画像のコントラスト特性等を向上させるために、光変調装置と射出側偏光板との間に、視野角補償板や第２の射出側偏光板等の光学素子を配置した構成が用いられるようになってきている。この構成においては、光変調装置に対して光学素子が正しい位置に配置されていないと、所望のコントラスト等を得ることができない。
そこで、光変調装置に対して光学素子を正しい位置に配置させるために、光学素子の位置を調整可能とする技術が提案されている（例えば、特許文献１参照）。
【０００３】
特許文献１に記載のプロジェクターは、液晶パネルおよび液晶パネルを収納するパネル保持枠を備えた光変調装置と、光変調装置が固定される第２固定部と、光学素子（視野角補償板）を保持し、第２固定部に取り付けられる素子保持体とを備えている。
そして、この素子保持体は、金属製の板材から加工された第２固定部の一端を挟持し、光学素子に照射される光束の光軸を中心として回転可能に第２固定部に取り付けられるように構成されている。
【先行技術文献】
【特許文献】
【０００４】
【特許文献１】特開２０１０−１５０１１号公報
【発明の概要】
【発明が解決しようとする課題】
【０００５】
しかしながら、特許文献１に記載の技術は、素子保持体を回転させることにより、光軸を中心とする回転方向における光学素子の位置調整はできるものの、素子保持体、つまり光学素子が光軸に対して傾斜する恐れがある。光学素子が傾斜すると、光学素子の特性を充分発揮できないため、所望のコントラスト等が得ることができないという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源と、前記光源から射出された光束を画像情報に応じて変調する光変調装置と、を備えたプロジェクターであって、前記光変調装置に対向して配置され、入射する光束を光学的に変換する光学素子と、前記光学素子を保持する素子保持体と、前記素子保持体を前記光変調装置に対して離間する方向に付勢する付勢部と、前記光変調装置を保持し、前記付勢部の付勢力による前記素子保持体の移動を規制する規制部を有する保持部と、を備えることを特徴とする。
【０００８】
この構成によれば、光学素子を保持する素子保持体は、付勢部に付勢され、保持部の規制部で位置が決められる。これによって、保持部に保持されている光変調装置に対する光学素子の姿勢を正し、光変調装置の光軸に対する光学素子の傾きを抑制して光変調装置と光学素子とを略平行することが可能となる。よって、プロジェクターは、光学素子の特性を有効に利用してコントラストの向上や色ムラの抑制等の画質の向上を図った画像の投写が可能となる。
【０００９】
［適用例２］上記適用例に係るプロジェクターにおいて、前記付勢部は、前記素子保持体に設けられていることが好ましい。
【００１０】
この構成によれば、付勢部は、素子保持体に設けられているので、部品点数増加の抑制や簡素な構成および省スペース化を図って付勢部を設けることができる。
【００１１】
［適用例３］上記適用例に係るプロジェクターにおいて、前記素子保持体は、前記素子保持体の一端に前記保持部の一部を挟持する挟持部を有し、前記付勢部は、前記素子保持体において前記挟持部が設けられた一端に対し反対側の端部に配設されていることが好ましい。
【００１２】
この構成によれば、素子保持体は、一方側が挟持部によって保持部に取り付けられ、他方側が付勢部によって付勢される。これによって、素子保持体と保持部とを容易に一体的に構成することができると共に、一方側が取り付けられることによって倒れがちとなる素子保持体の他方側を効率よく付勢することができる。したがって、光変調装置に対する光学素子の倒れを抑制した状態を確実に維持することが可能となる。
【００１３】
［適用例４］上記適用例に係るプロジェクターにおいて、前記保持部は、前記光変調装置を収納するフレームと、前記フレームを支持し、板材から形成された固定板と、を備え、前記固定板は、前記光束が通過する開口部が設けられた基部、および前記基部に対して屈曲する屈曲部を有し、前記規制部は、前記屈曲部から延出していることが好ましい。
【００１４】
この構成によれば、固定板は、板材から形成され、屈曲部を有しているので、ベース部に開口部が設けられていても、薄い板厚で剛性を高めることができる。そして、規制部はこの屈曲部から延出して形成されているので、形状の安定化が可能となる。よって、簡単な構成で、保持部の大型化、重量化や複雑化を抑制して規制部を形成することができる。
【図面の簡単な説明】
【００１５】
【図１】本実施形態のプロジェクターの概略構成を示す模式図。
【図２】本実施形態のクロスダイクロイックプリズムおよび電気光学装置の一部を示す斜視図。
【図３】本実施形態のクロスダイクロイックプリズムおよび電気光学装置の一部を示す分解斜視図。
【図４】本実施形態の光学装置本体における偏光板、固定板、および素子保持体を示す分解斜視図。
【図５】本実施形態の偏光板を保持する素子保持体が固定板に取り付けられた状態を示す斜視図。
【図６】本実施形態の液晶パネルが保持された保持部に偏光板が保持された素子保持体が組み込まれた状態を示す図。
【発明を実施するための形態】
【００１６】
以下、本実施形態に係るプロジェクターについて、図面を参照して説明する。
本実施形態のプロジェクターは、光源から射出された光束を画像情報に応じて変調してスクリーン等に拡大投写する。
図１は、本実施形態のプロジェクター１の概略構成を示す模式図である。
プロジェクター１は、図１に示すように、外装を構成する外装筐体２、制御部（図示省略）、および光源装置３１を有する光学ユニット３を備えている。なお、図示は省略するが、外装筐体２の内部には、さらに、光源装置３１や制御部に電力を供給する電源装置、光学ユニット３等を冷却する冷却装置等が配置されている。
【００１７】
外装筐体２は、詳細な説明は省略するが、上部を構成する上ケース、下部を形成する下ケース等を備えている。そして、外装筐体２には、外気を取り込むための吸気口、および外装筐体２内部の温まった空気を外部に排気する排気口等が設けられている。
【００１８】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００１９】
〔光学ユニットの構成〕
光学ユニット３は、制御部による制御の下、光源装置３１から射出された光束を光学的に処理して投写する。
光学ユニット３は、図１に示すように、光源装置３１に加え、インテグレーター照明光学系３２、色分離光学系３３、リレー光学系３４、光学装置５、投写レンズ３５、およびこれらの部材を光路上の所定位置に配置する光学部品用筐体３６を備えている。
【００２０】
光学ユニット３は、図１に示すように平面視略Ｌ字状に形成され、一方の端部に光源装置３１が着脱可能に配置され、他方の端部に投写レンズ３５が配置される。なお、以下では、説明の便宜上、投写レンズ３５から光束が射出される方向を前側、プロジェクター１が机上等に据え置かれた据置姿勢における上方を上側として記載する。
【００２１】
光源装置３１は、超高圧水銀ランプやメタルハライドランプ等からなる放電型の光源３１１およびリフレクター３１２等を備え、光源３１１から射出された光束をリフレクター３１２にて反射し、インテグレーター照明光学系３２に向けて射出する。
【００２２】
インテグレーター照明光学系３２は、第１レンズアレイ３２１、第２レンズアレイ３２２、偏光変換素子３２３、および重畳レンズ３２４を備え、光源装置３１から射出された光束が後述する液晶パネル５２の表面に略均一に照射されるように、また有効利用されるように構成されている。
【００２３】
色分離光学系３３は、２枚のダイクロイックミラー３３１，３３２、および反射ミラー３３３を備え、インテグレーター照明光学系３２から射出された光束を赤色光（以下「Ｒ光」という）、緑色光（以下「Ｇ光」という）、青色光（以下「Ｂ光」という）の３色の色光に分離する。
【００２４】
リレー光学系３４は、入射側レンズ３４１、リレーレンズ３４３、および反射ミラー３４２，３４４を備え、色分離光学系３３で分離されたＲ光をＲ光用の液晶パネル５２まで導く機能を有する。なお、光学ユニット３は、リレー光学系３４がＲ光を導く構成としているが、これに限らず、例えば、Ｂ光を導く構成としてもよい。
【００２５】
光学装置５は、各色光用に設けられた電気光学装置５０（Ｒ光用の電気光学装置を５０Ｒ、Ｇ光用の電気光学装置を５０Ｇ、Ｂ光用の電気光学装置を５０Ｂとする）、および色合成光学装置としてのクロスダイクロイックプリズム５５を備えている。
【００２６】
図２は、クロスダイクロイックプリズム５５およびＢ光用の電気光学装置５０Ｂの一部を示す斜視図である。図３は、クロスダイクロイックプリズム５５およびＢ光用の電気光学装置５０Ｂの一部を示す分解斜視図である。
各電気光学装置５０は、図１、図３に示すように、入射側偏光板５１、光変調装置としての液晶パネル５２、光学素子としての偏光板５３、射出側偏光板５４、光透過基板５６、保持部６、支持部７、および素子保持体８を備えている。
【００２７】
入射側偏光板５１は、色分離光学系３３で分離された色光のうち、偏光変換素子３２３で揃えられた偏光光を透過し、その偏光光と異なる偏光光を吸収して液晶パネル５２に射出する。入射側偏光板５１は、ガラス板に貼り付けられて光学部品用筐体３６に配置される。
【００２８】
液晶パネル５２は、一対の透明なガラス基板に電気光学物質である液晶が密閉封入された構成を有し、図示しない微小画素がマトリックス状に形成された矩形状の画素領域が形成されている。そして、液晶パネル５２の上側の端部には、フレキシブルプリント基板（図示省略）が接続されている。
【００２９】
液晶パネル５２は、フレキシブルプリント基板を介して制御部から入力された駆動信号に応じて液晶の配向状態が制御され、画素領域内に表示画像を形成する。そして、液晶パネル５２は、入射側偏光板５１から射出された色光を画像情報に応じて変調する。
【００３０】
偏光板５３および射出側偏光板５４は、入射側偏光板５１と略同様の機能を有し、液晶パネル５２の光束射出側に順次配置される。つまり、偏光板５３は、液晶パネル５２の光束射出側に、液晶パネル５２に対向して配置される。そして、偏光板５３および射出側偏光板５４は、液晶パネル５２から射出された光束のうち一定方向の偏光光を透過し、その偏光光と異なる偏光光を吸収してクロスダイクロイックプリズム５５に射出する。
【００３１】
このように、偏光板５３および射出側偏光板５４を配置することによって、投写される画像のコントラストを高めると共に、吸収する光束を偏光板５３と射出側偏光板５４とで按分し、それぞれの過熱を抑制するようになっている。また、本実施形態の偏光板５３は、ワイヤーグリッドを有する無機系で構成されている。なお、有機系の偏光フィルムをガラス等の板材に貼付したものを偏光板５３として構成してもよい。
偏光板５３は、平面視矩形状に形成され、素子保持体８に保持される。射出側偏光板５４は、平面視矩形状に形成され、光透過基板５６に貼り付けられる。
【００３２】
光透過基板５６は、水晶等の熱伝導性の高い板材で、図３に示すように、クロスダイクロイックプリズム５５の光束入射側端面５５Ａ、および射出側偏光板５４よりもサイズの大きい平面視矩形状に形成されている。
射出側偏光板５４が貼付された光透過基板５６は、射出側偏光板５４が貼付されている側とは反対側がクロスダイクロイックプリズム５５に接着固定される。
【００３３】
保持部６は、液晶パネル５２を保持するように形成され、図３に示すように、フレーム６１および固定板６２を備えている。
支持部７は、素子保持体８のクロスダイクロイックプリズム５５側に配置され、保持部６を支持する。支持部７は、液晶パネル５２の位置調整が行われた後、光透過基板５６に接着固定される。
【００３４】
素子保持体８は、図３に示すように、偏光板５３のクロスダイクロイックプリズム５５側に配置され、偏光板５３を保持する。後で詳細に説明するが、素子保持体８は、液晶パネル５２の光軸を中心とする回転方向において調整可能に固定板６２に取り付けられる。
また、固定板６２および素子保持体８は、液晶パネル５２に対して偏光板５３が正しい姿勢で配置されるように形成されている。なお、以下では電気光学装置５０のうち、液晶パネル５２、偏光板５３、保持部６、支持部７および素子保持体８を光学装置本体５００とし、その具体的な構成については、後で詳細に説明する。
【００３５】
クロスダイクロイックプリズム５５は、４つの直角プリズムを貼り合わせた平面視略正方形状をなし、図１、図３に示すように、３つの光束入射側端面５５Ａ、１つの光束射出側端面５５Ｂ、および上面５５Ｃ、下面５５Ｄを有している。３つの光束入射側端面５５Ａには、各色光用の電気光学装置５０が取り付けられる。そして、光学装置５には、図１に示すように、各色光用の液晶パネル５２の光軸５２Ｒｊ，５２Ｇｊ，５２Ｂｊが設けられることとなる。
クロスダイクロイックプリズム５５は、図３に示すように、プリズム支持体３７が上面５５Ｃに接着固定され、図示しないヘッド体を介して光学部品用筐体３６に取り付けられる。
【００３６】
そして、クロスダイクロイックプリズム５５は、直角プリズム同士を貼り合わせた界面に、２つの誘電体多層膜が形成され、各光束入射側端面５５Ａから入射する各色光を合成して光束射出側端面５５Ｂから射出する。具体的に、クロスダイクロイックプリズム５５は、誘電体多層膜が電気光学装置５０Ｒ，５０Ｂにて変調された色光を反射し、電気光学装置５０Ｇにて変調された色光を透過して、各色光を合成する。
【００３７】
投写レンズ３５は、複数のレンズ（図示省略）を有し、クロスダイクロイックプリズム５５にて合成された光束をスクリーン上に拡大投写する。
【００３８】
〔光学装置本体の構成〕
ここで光学装置本体５００の具体的な構成について説明する。３つの色光用の光学装置本体５００は、同一の構成を有しており、ここでは、Ｂ光用の光学装置本体５００に注目して説明する。なお、以下では、説明の便宜上、図３に示すように、Ｂ光用の光束入射側端面５５Ａの法線方向をＹ軸方向とし、Ｙ軸方向に直交する上下方向をＺ軸方向、Ｙ軸方向およびＺ軸方向に直交する方向（左右方向）をＸ軸方向とする。
【００３９】
光学装置本体５００は、前述したように、また、図３に示すように、液晶パネル５２、偏光板５３、保持部６、支持部７および素子保持体８を備え、保持部６は、フレーム６１および固定板６２を備えている。
フレーム６１は、金属製であり、液晶パネル５２を収納する枠部６１１、および放熱部６１２を有している。
【００４０】
枠部６１１は、図３に示すように、平面視矩形状に形成され、中央部には、色分離光学系３３で分離され、入射側偏光板５１を透過した色光が入射する開口部６１１１が形成されている。そして、この枠部６１１の四隅には、Ｙ軸方向に貫通する貫通孔６１Ｈが設けられている。
放熱部６１２は、枠部６１１の上端から突出して平面視矩形状に形成され、フレキシブルプリント基板（図示省略）の一部に沿うように形成されている。
【００４１】
固定板６２は、フレーム６１のクロスダイクロイックプリズム５５側に配置され、液晶パネル５２が収納されたフレーム６１が固定される。
図４は、光学装置本体５００における偏光板５３、固定板６２、および素子保持体８を示す分解斜視図であり、（ａ）は、偏光板５３の光束入射側から見た図、（ｂ）は、偏光板５３の光束射出側から見た図である。
【００４２】
固定板６２は、金属の板材から形成されており、図４に示すように、平面視矩形状に形成された基部６２１、基部６２１から屈曲された屈曲部６２２、および屈曲部６２２の先端から延出する規制部６２３を有している。
【００４３】
基部６２１の中央には、液晶パネル５２を透過した色光が通過する矩形状の開口部６２１Ａが設けられ、開口部６２１Ａの四隅近傍には、ネジ孔６２Ｓが形成されている。ネジ孔６２Ｓは、フレーム６１の貫通孔６１Ｈに対応する位置に形成されており、液晶パネル５２が収納されたフレーム６１は、貫通孔６１Ｈに挿通されたネジがこのネジ孔６２Ｓに螺合されて固定板６２に固定される。
【００４４】
また、基部６２１には、四隅に平面視矩形状の挿通孔６２Ｈが形成されており、上側の挿通孔６２Ｈの間には、案内孔６２Ｇが設けられている。
挿通孔６２Ｈは、支持部７の後述する突起部７３が挿入されるように形成されている。
案内孔６２Ｇは、光軸５２Ｂｊを中心として円弧状に形成されており、基部６２１の上側の端面における中央部の端面６２１Ｅは、この案内孔６２Ｇに倣うように円弧状に形成されている。
【００４５】
屈曲部６２２は、開口部６２１Ａの左右に一対設けられており、基部６２１からクロスダイクロイックプリズム５５側に略９０°屈曲されている。屈曲部６２２は、開口部６２１Ａが形成されることによって変形し易くなる基部６２１の剛性を高める機能を有している。
【００４６】
規制部６２３は、一対の屈曲部６２２それぞれの先端中央部に設けられており、屈曲部６２２に倣って延出した後、互いに近接する方向に屈曲されている。一対の規制部６２３は、基部６２１との間の寸法が同一の所定の寸法となるように形成されている。
【００４７】
支持部７は、金属の板材から加工され、図３に示すように、ベース部７１、延出部７２および突起部７３を有している。
ベース部７１は、光透過基板５６に固定される部位であり、光透過基板５６と略同等の大きさを有して平面視矩形に形成されている。ベース部７１の中央部分には、射出側偏光板５４の外形より大きな開口部７１１が形成されている。
【００４８】
延出部７２は、図３に示すように、ベース部７１の左右の側端部から固定板６２側に略９０°屈曲されて一対設けられている。
突起部７３は、図３に示すように、ベース部７１の四隅から固定板６２側に略９０°屈曲されて形成されており、先端部が固定板６２の挿通孔６２Ｈに挿通される。
突起部７３は、ベース部７１の上側の左右端部から屈曲された一対の突起部７３ｕ、およびベース部７１の下側の左右端部から屈曲された一対の突起部７３ｄを有している。
【００４９】
一対の突起部７３ｕは、放熱部６１２の側方の両側に位置し、それぞれが延出部７２と略平行に形成されている。そして、一対の突起部７３ｄは、フレーム６１の下方に位置し、それぞれが隣接する延出部７２に対してフレーム６１側が鈍角となるように形成されている。
【００５０】
また、突起部７３ｕ，７３ｄは、挿通孔６２Ｈに遊嵌状態で挿通される大きさに形成されている。そして、支持部７は、保持部６を遊嵌支持することとなり、後述する液晶パネル５２の位置調整後に、挿通孔６２Ｈと突起部７３ｕ，７３ｄとの間に充填された接着剤が硬化されることにより、保持部６は支持部７に固定される。
【００５１】
素子保持体８は、偏光板５３を保持し、光軸５２Ｂｊを中心とする回転方向において調整可能に固定板６２に取り付けられる。
素子保持体８は、ステンレス製等の板材からプレス加工等により形成されており、図４に示すように、ベース部８１、押圧部８２、および付勢部８３を有している。
【００５２】
ベース部８１は、平面視矩形状のベース本体部８１１、およびベース本体部８１１の上側端部から上方に突出する接続部８１２を有している。
図５は、偏光板５３を保持する素子保持体８が固定板６２に取り付けられた状態を示す斜視図であり、（ａ）は、偏光板５３の光束入射側から見た図、（ｂ）は、偏光板５３の光束射出側から見た図である。
【００５３】
ベース本体部８１１は、図５（ｂ）に示すように、固定板６２の基部６２１と一対の規制部６２３との間に配置される大きさに形成され、中央部には、偏光板５３を透過した光束が通過する開口部８１Ａが設けられている。そして、ベース本体部８１１には、図４（ａ）に示すように、開口部８１Ａの下側に案内用突起８１１１が設けられ、＋Ｘ側端部に案内用突起８１１２が設けられている。
案内用突起８１１１，８１１２は、ベース本体部８１１から偏光板５３側に屈曲されており、偏光板５３は、この案内用突起８１１１，８１１２に当接して位置決めされた状態で、接着剤等によりベース本体部８１１の光束入射側端面に固定される。
【００５４】
接続部８１２は、ベース本体部８１１の上側端部の中央部からベース本体部８１１に倣って上方に突出して形成されており、図４に示すように、固定板受部８１２１、接着剤受部８１２２、および把持部８１２３が設けられている。
固定板受部８１２１は、接続部８１２下側の両側に一対形成されており（図６（ａ）参照）、接続部８１２から固定板６２側に突出した後、接続部８１２に沿って互いが離間する方向に屈曲されている。固定板受部８１２１は、素子保持体８が固定板６２に取り付けられる際に固定板６２の基部６２１に当接する。
【００５５】
接着剤受部８１２２は、偏光板５３の位置調整後の素子保持体８と固定板６２との間に充填される接着剤を案内する機能を有している。具体的に、接着剤受部８１２２は、一対の固定板受部８１２１の上方にそれぞれ設けられており（図６（ａ）参照）、図５（ｂ）に示すように、固定板６２の端面６２１Ｅ近傍に位置するように形成されている。そして、この接着剤受部８１２２の上方に充填された接着剤は、偏光板５３に流れ込まないように、また。素子保持体８と固定板６２とが確実に接着されるように充填される。
【００５６】
把持部８１２３は、偏光板５３の位置が調整される際に把持される部位である。把持部８１２３は、接続部８１２上側の＋Ｘ側の角部に設けられており、接続部８１２に沿って上方に延出している。また、把持部８１２３は、図２に示すように、放熱部６１２から離間し、光学装置本体５００がクロスダイクロイックプリズム５５に取り付けられた後でも把持できるように形成されている。
【００５７】
押圧部８２は、一対の固定板受部８１２１とで固定板６２における基部６２１の上側を挟持する挟持部を構成する。
押圧部８２は、図４に示すように、接続部８１２に対向して形成された当接部８２２、および接続部８１２の上側端部と当接部８２２の上側端部とを接続する架橋部８２１を有している。
架橋部８２１は、押圧部８２がバネ性を有するように、中央部が削除された形状を有し、接続部８１２よりたわみ易くなるように形成されている。
【００５８】
当接部８２２は、下方に向かう程、ベース本体部８１１に近づくように傾斜しており、先端は、ベース本体部８１１から離間する方向に屈曲されている。
当接部８２２には、図４に示すように、ガイド用突起８２２Ｇ、およびストッパー８２２１が設けられている。
【００５９】
ガイド用突起８２２Ｇは、図４（ｂ）に示すように、当接部８２２のベース本体部８１１側の面から突出する半球状に形成されており、固定板６２の案内孔６２Ｇに挿通される。ガイド用突起８２２Ｇは、把持部８１２３が操作されることによって、円弧状の案内孔６２Ｇを摺動するように形成されている。
【００６０】
ストッパー８２２１は、図４に示すように、当接部８２２の左右の端部からベース部８１側に屈曲され、図５に示すように、固定板６２の端面６２１Ｅの上方に位置するように形成されている。ストッパー８２２１は、プロジェクター１に衝撃等が加わった際に、端面６２１Ｅと当接し、ガイド用突起８２２Ｇが案内孔６２Ｇから脱落しないように形成されている。
【００６１】
付勢部８３は、固定板６２の規制部６２３とで、液晶パネル５２に対する偏光板５３の姿勢を正すように、つまり、光軸５２Ｂｊに対する偏光板５３の傾きを抑制するように形成されている。
付勢部８３は、図４に示すように、ベース本体部８１１の下端部に板バネとして形成されており、素子保持体８が固定板６２に取り付けられることで素子保持体８の下方をクロスダイクロイックプリズム５５側に付勢する。
【００６２】
付勢部８３は、２つの案内用突起８１１１それぞれの下方に設けられており、ベース本体部８１１の下端部から固定板６２側に延出している。そして、付勢部８３は、素子保持体８が固定板６２に組み込まれた際に、ベース本体部８１１が撓まない程度の付勢力となるように形成されている。
【００６３】
図６は、液晶パネル５２が保持された保持部６に偏光板５３が保持された素子保持体８が組み込まれた状態を示す図であり、（ａ）は、偏光板５３の光束射出側から見た平面図、（ｂ）は側方から見た断面図である。
偏光板５３を保持する素子保持体８は、固定板６２の上方から固定板６２に組み込まれる。具体的に、素子保持体８は、ベース本体部８１１が基部６２１と一対の規制部６２３との間に挿通され、固定板受部８１２１と押圧部８２とが固定板６２の上側の端部を挟持するように下方に移動される。そして、素子保持体８は、ガイド用突起８２２Ｇが案内孔６２Ｇに挿通されると、図６に示すように、固定板６２に組み込まれる。
【００６４】
素子保持体８は、固定板６２に組み込まれた状態で、挟持部としての押圧部８２と固定板受部８１２１とが固定板６２の上側を挟持することにより、上側の位置が決められる。そして、素子保持体８は、付勢部８３が固定板６２を押圧することによる反力で、固定板６２から離間する方向に付勢されて規制部６２３に係止することにより、下側の位置が決められる。その結果、素子保持体８に保持されている偏光板５３は、液晶パネル５２に対する傾きが調整されて、液晶パネル５２と略平行な状態となる。
【００６５】
このように、素子保持体８は、素子保持体８の一端に保持部６の一部（固定板６２の上側）を挟持する挟持部を有し、付勢部８３は、素子保持体８において挟持部が設けられた一端に対し反対側の端部に配設されている。そして、付勢部８３は、素子保持体８を液晶パネル５２に対して離間する方向に付勢し、規制部６２３は、付勢部８３の付勢力による素子保持体８の移動を規制する。そして、素子保持体８に保持されている偏光板５３は、上下方向における両側が位置決めされることとなり、液晶パネル５２に対して略平行な状態となる。
【００６６】
ここで、液晶パネル５２の位置の調整方法、および偏光板５３の位置の調整方法について説明する。
先ず、液晶パネル５２の位置の調整方法について説明する。
支持部７は、素子保持体８が取り付けられた保持部６を遊嵌支持した状態で、開口部７１１に射出側偏光板５４が位置し、光透過基板５６に当接するように仮配置される。そして、調整用の画像を観察しながら保持部６が移動されることによりフォーカス調整が行われる。そして、挿通孔６２Ｈと突起部７３ｕ，７３ｄとが接着固定されることにより、保持部６は支持部７に固定される。
【００６７】
次に、調整用の画像を観察しながら支持部７が光透過基板５６上を移動されることによりアライメント調整が行われる。そして、支持部７と光透過基板５６とが接着固定されることにより、支持部７は、光透過基板５６を介してクロスダイクロイックプリズム５５に固定される。
このように、保持部６および支持部７が移動されることにより、液晶パネル５２の位置が調整される。
【００６８】
次に、偏光板５３の位置の調整方法について説明する。
素子保持体８は、把持部８１２３が把持され、図６（ａ）に示すように、左右方向に力が加えられると、固定板６２の上側を挟持したままガイド用突起８２２Ｇが案内孔６２Ｇ内を摺動し、光軸５２Ｂｊを中心に回転する。
そして、調整用の画像を観察しながらコントラストが最適となるように素子保持体８が回転されることにより、光軸５２Ｂｊを中心とする偏光板５３の回転方向の位置が調整される。その後、接着剤受部８１２２の上方に接着剤が充填されて、素子保持体８は、固定板６２に固定される。
このように、素子保持体８が回転されることにより、偏光板５３の回転方向の位置が調整される。また、素子保持体８は、回転される際にも付勢部８３によって付勢されているので、光軸５２Ｂｊに対する傾きが抑制された状態が維持されている。
【００６９】
以上説明したように、本実施形態によれば、以下の効果を得ることができる。
（１）素子保持体８は、付勢部８３に付勢され、保持部６の規制部６２３で位置が決められる。これによって、保持部６に保持されている液晶パネル５２に対する偏光板５３の姿勢を正し、液晶パネル５２の光軸に対する偏光板５３の傾きを抑制することが可能となる。よって、プロジェクター１は、偏光板５３の特性を有効に利用してコントラスト等の画質の向上を図った画像の投写が可能となる。
【００７０】
（２）付勢部８３は、素子保持体８に設けられているので、部品点数増加の抑制や簡素な構成および省スペース化を図って付勢部８３を設けることができる。
【００７１】
（３）固定板６２は、板材から形成され、屈曲部６２２を有しているので、基部６２１に開口部６２１Ａが設けられていても、薄い板厚で剛性を高めることができる。そして、規制部６２３は、この屈曲部６２２から延出して形成されているので、形状の安定化が可能となる。よって、簡単な構成で、保持部６の大型化、重量化や複雑化を抑制して規制部６２３を形成することができる。
【００７２】
（４）素子保持体８は、一方側が挟持部によって保持部６に取り付けられ、他方側が付勢部８３によって付勢される。これによって、素子保持体８と保持部６とを容易に一体的に構成することができると共に、一方側が取り付けられることによって倒れがちとなる素子保持体８の他方側を効率よく付勢することができる。したがって、液晶パネル５２に対する偏光板５３の倒れを抑制した状態を確実に維持することが可能となる。
【００７３】
（変形例）
なお、前記実施形態は、以下のように変更してもよい。
前記実施形態の付勢部８３は、素子保持体８に設けられているが、保持部６に付勢部を設ける構成にしてもよい。
また、付勢部は、板バネに限らず、例えばコイルバネや伸縮する部材等で構成してもよい。
【００７４】
前記実施形態の光学素子は、偏光板５３で構成されているが、位相差板、あるいは光束の位相のずれを補償する補償素子等を光学素子として構成してもよい。例えば、光学素子として補償素子を用い、液晶パネル５２で生じる複屈折による常光と異常光との間に生じる位相差を補償し、液晶パネル５２の明視特性（視野角）を改善する構成としてもよい。
また、前記実施形態の光学素子は、光変調装置（液晶パネル５２）の光路後段側に配置されているが、光変調装置（液晶パネル５２）の光路前段側に配置されるように構成してもよい。
【００７５】
前記実施形態の光学装置５は、光透過基板５６を備えているが、光透過基板５６を備えない構成としてもよい。また、射出側偏光板５４および光透過基板５６を備えない構成としてもよい。
【００７６】
前記実施形態のプロジェクター１は、光変調装置として透過型の液晶パネル５２を用いているが、反射型の液晶パネルを利用したものであってもよい。
【００７７】
光源３１１は放電型のランプに限らず、その他の方式のランプや発光ダイオード等の固体光源で構成してもよい。
【００７８】
また、前記実施形態において、偏光板５３（光学素子）は、素子保持体８の固定板６２側で保持されるように設けられたがこれに限らず、偏光板５３（光学素子）が素子保持体８のクロスダイクロイックプリズム５５側で保持されるように構成してもよい。この場合、案内用突起８１１１，８１１２も素子保持体８のクロスダイクロイックプリズム５５側に形成される。
【符号の説明】
【００７９】
１…プロジェクター、２…外装筐体、３…光学ユニット、５…光学装置、６…保持部、７…支持部、８…素子保持体、５２…液晶パネル、５２Ｂｊ，５２Ｇｊ，５２Ｒｊ…光軸、５３…偏光板、６１…フレーム、６２…固定板、８２…押圧部、８３…付勢部、３１１…光源、６１１…枠部、６１２…放熱部、６２１…基部、６２２…屈曲部、６２３…規制部、８２２…当接部、８１２１…固定板受部、８１２２…接着剤受部、８１２３…把持部、８２２１…ストッパー。
【図１】
2014041176.tif 000003
【図２】
2014041176.tif 000004
【図３】
2014041176.tif 000005
【図４】
2014041176.tif 000006
【図５】
2014041176.tif 000007
【図６】
2014041176.tif 000008